(57)【要約】 【課題】イチゴの吊下げ輸送に適する包装において、包装部材の簡素化を図る。【解決手段】包装部材は、吊下げ保持体１と包装台紙２で構成され、吊下げ保持体１は、適宜な撓曲弾性を備えた薄樹脂板でアーチ部１１、アーチ部の両端部分に設けた足板部１２及び舌片部１３、アーチ部適宜位置に設けた吊下げ用透孔１４を備え、包装台紙２は、吊下げ保持体１のアーチ部１１の撓曲弾性力で、足板部を係止する係止受け部（係止長孔２１）を備え、吊り下げ保持体１に、イチゴＡの果柄Ｂを吊下げ用透孔１４に挿通し、果柄の抜け止め処理をしてイチゴをアーチ部に吊下げると共に、吊下げ保持体の足板部（又は舌片部）をアーチ部の撓曲弾性力で係止受部２１に係止して、適宜な包装外箱３に収納する。【選択図】図３
2016204004.tif 000002
【特許請求の範囲】
【請求項１】
適宜な撓曲弾性を備えた薄樹脂板で形成され、包装対象のイチゴの大きさに対応したアーチ部、及びアーチ部の両端部分に設けた足板部、及びアーチ部適宜位置に設けた吊下げ用透孔を備えた吊下げ保持体と、前記吊下げ保持体のアーチ部の撓曲弾性力で、足板部を係止する係止受部を備え、前記の係止によって吊下げ保持体をアーチ状に維持する包装台紙とで構成してなるイチゴの包装部材。
【請求項２】
足板部が、アーチ部の表裏双方に突出して設けてなる請求項１記載のイチゴの包装部材。
【請求項３】
吊下げ保持体の足板部を、薄樹脂製長尺板の両端部分に中間部分を残して横断する折れ線と、前記折れ線間を長手方向中間に向かう舌片状の切込み線とを設け、前記折れ線箇所を折曲して形成してなる請求項２記載のイチゴの包装部材。
【請求項４】
適宜な撓曲弾性を備えた薄樹脂板で形成され、包装対象のイチゴの大きさに対応したアーチ部、及びアーチ部の両端部分に設けた足板部、及びアーチ部適宜位置に設けた吊下げ用透孔を備えた吊下げ保持体に、イチゴの果柄を吊下げ用透孔に挿通し、前記果柄の抜け止め処理をしてイチゴをアーチ部に吊下げると共に、吊下げ保持体の足板部を係止する係止受部を備えた包装台紙に、吊下げ保持体のアーチ部の撓曲弾性力で、足板部を係止受部に係止し、適宜な包装箱に収納してなることを特徴とするイチゴの包装方法。
【請求項５】
包装台紙に複数の矩形孔を形成し、矩形孔の縁部を係止受部とし、イチゴを吊下げ保持した複数の吊下げ保持体を、各矩形孔に装着してなる請求項４記載のイチゴの包装方法。
【発明の詳細な説明】
【技術分野】
【０００１】
本発明は、傷みやすいイチゴを展示状態で包装し、また遠方に出荷輸送する際に採用されるイチゴの輸送に適する包装具及び包装方法に関するものである。
【背景技術】
【０００２】
果実（花托）の出荷に際しては、当該果実に対応した包装を施して輸送されるものであるが、イチゴのような表面が柔らかい果実は、輸送中に果実同士がぶつかり、或いは果実と包装部材の接触によって、果実表面に擦り傷、押し傷が生じたり或いは一部が潰れてしまう虞が多く、従前よりその対応手段が提案されている。
【０００３】
例えば特許文献１（特開２００４−６７１４１号公報）には、エンボス加工が施された繊維集合体シートで包装する手段が開示されており、特許文献２（特開２００８−２５４７４６号公報）には、果実を並べた樹脂パックを、包装箱の底面から浮かせた状態で収納して輸送する手段が開示されている。また特許文献３（特開２０１０−２５３０３号公報）には、包装箱内の上方に軸部材（ブドウの枝等）を横架し、ブドウの枝を軸部材に開けた孔に挿通してブドウの房を宙づり状態で包装する手段が開示されている。しかしイチゴは、果実同士の僅かな擦れ、果実と包装部材との僅かな擦れがあっても、その表面が非常に傷つきやすい。前記特許文献１，２は、包装時に果実同士や果実と包装部材が接触しているので、輸送中に瞬間的に外力が加わるような状況では、果実同士や包装部材との僅かな擦れが生ずる虞がある。また特許文献３記載のように複数の果実を並列して吊下げていると、果実自体の揺れによって互いに接触する虞がある。
【０００４】
前記対策として本出願人は、特許文献４に示す通りイチゴの個体毎の吊下げ包装を提案した。この特許文献４には、所定の間隔で対向する薄樹脂板の上端側方に、切り込み溝と差込係止片で構成される対向板連結部を備え、上端中央一方側に設けた果実柄を挟持装着する柄装着細溝と、対向薄樹脂板の上端を連結した際に柄装着細溝に挟持装着された果実柄を抑える柄抑え部とで構成される果実柄保持部を備えた包装体を使用して、イチゴの柄を挟持して吊下げ包装する手段が開示されている。
【先行技術文献】
【特許文献】
【０００５】
【特許文献１】特開２００４−６７１４１号公報。
【特許文献２】特開２００８−２５４７４６号公報。
【特許文献３】特開２０１０−２５３０３号公報。
【特許文献４】特開２０１４−２２７１７７号公報。
【発明の概要】
【発明が解決しようとする課題】
【０００６】
イチゴの輸送において、特許文献４に開示された包装体を使用して吊下げ輸送を行うことで果実の傷みを生じ難くい輸送を実現できる。しかし吊下げを行うために、アーチ状の組み合わせでイチゴの果柄を挟持する構造であるため、特に粒の小さいイチゴに対しては、包装手段が煩瑣であり、より簡易に吊下げ保持が可能な構造であれば、低コストで包装作業が容易となる吊下げ包装が実現できる。そこで本発明は、新規なイチゴの吊下げ包装を可能とした包装部材及び包装方法を提案したものである。
【課題を解決するための手段】
【０００７】
本発明の請求項１記載に係るイチゴの包装部材は、吊下げ保持体と包装台紙で構成されるもので、吊下げ保持体は、適宜な撓曲弾性を備えた薄樹脂板で形成され、包装対象のイチゴの大きさに対応したアーチ部、及びアーチ部の両端部分に設けた足板部、及びアーチ部適宜位置に設けた吊下げ用透孔を備えたものであり、包装台紙は、前記吊下げ保持体のアーチ部の撓曲弾性力で、足板部を係止する係止受け部を備え、前記の係止によって吊下げ保持体をアーチ状に維持するようにしたものである。
【０００８】
また本発明の請求項４記載に係るにイチゴの包装方法は、前記吊り下げ保持体に、イチゴの果柄を吊下げ用透孔に挿通し、前記果柄の抜け止め処理をしてイチゴをアーチ部に吊下げると共に、吊下げ保持体の足板部を係止する係止受部を備えた包装台紙に、吊下げ保持体のアーチ部の撓曲弾性力で、足板部を係止受部に係止し、適宜な包装箱に収納してなることを特徴とするものである。
【０００９】
従ってイチゴは、各個体がアーチ部で保護された状態で、且つ吊下げ状態で包装されて輸送されるもので、果実が他の果実と擦れあうこともないので、果実を痛めることなく確実に輸送できる。
【００１０】
また本発明の請求項２記載のイチゴの包装部材は、特に吊下げ保持体の足板部が、アーチ部の表裏双方に突出して設けてなるもので、足板部の表裏の一方を包装台紙の係止受部に係止し、他方を台紙載置用又は包装箱底面の載置用として機能することになり、吊下げ保持体のアーチ形状の維持を確実なものとする。
【００１１】
また請求項３記載のイチゴの包装部材は、吊り下げ保持体の足板部を、薄樹脂製長尺板の両端部分に中間部分を残して横断する折れ線と、前記折れ線間を長手方向中間に向かう舌片状の切込み線とを設け、前記折れ線箇所を折曲して形成してなるもので、その製造が容易で製造コストを低廉にすることができ、包装台紙に細溝の係止受部を設けるのみでも舌片状の部分を前記係止受部に差し込むだけで、吊下げ保持体を包装台紙に装着することができる。
【００１２】
更に請求項５記載のイチゴの包装方法は、特に包装台紙に複数の矩形孔を形成し、矩形孔の縁部を係止受部とし、イチゴを吊下げ保持した複数の吊下げ保持体を、各矩形孔に装着してなるもので、多数の吊り下げ保持体を単一の包装箱に収納できるものである。
【発明の効果】
【００１３】
本発明の構成は上記のとおりで、製造容易な吊下げ保持体を以て、イチゴの個体毎の吊下げ包装が可能となり、果実を痛めることなく確実な輸送を実現できたのである。
【図面の簡単な説明】
【００１４】
【図１】本発明の第一実施形態の吊下げ保持体の全体斜視図。
【図２】同吊下げ保持体の撓曲使用状態の説明図。
【図３】同使用状態（イチゴの包装）の説明図。
【図４】同第二実施形態の吊下げ保持体と包装台紙の使用時状態の説明図。
【図５】同包装状態の説明図
【図６】同変形使用状態の説明図。
【発明を実施するための形態】
【００１５】
次に本発明の実施形態について説明する。図１乃至図３は本発明の第一実施形態を示すもので、この第一実施形態は個体包装の例で、使用される包装部材は、吊下げ保持体１と包装台紙２と、包装外箱３で構成される。
【００１６】
吊下げ保持体１は、適宜な撓曲弾性を備えた薄樹脂板で、包装対象のイチゴＡの大きさより幅広で、包装対象のイチゴの大きさに対応したアーチ部１１と、アーチ部１１の両端部分に設けた足板部１２と、足板部１２と同一面で表裏反対側に突出する舌片部１３と、アーチ部１１の適宜位置に設けた吊下げ用透孔１４を備えたものである。
【００１７】
前記吊下げ保持体１は、細長板ａから形成されるもので、中央部分に吊下げ用透孔１４を穿設し、足板部１２となる両端部分に、中間部分を残して横断する折れ線ｂと、前記折れ線ｂ間を長手方向中間に向かう舌片状の切込み線ｃとを設け、前記折れ線ｂ箇所を折曲して、前記の吊下げ保持体１を形成する。勿論１枚の細長板から製出せずに、アーチ部分を構成する薄板部分の両端に足板部などを直交して細長Ｈ状に型成形で製出するものであっても良い。
【００１８】
包装台紙２は、細長形状で、アーチ部１１を形成するために吊下げ保持体１を撓めた際のアーチ部１１の下端に対応する位置に、係止長孔（係止受部）２１を形成したものである。
【００１９】
包装外箱３は、包装台紙２の底面積で、アーチ部１１が収まる容積としたもので、透明樹脂、厚紙などで形成したものである。
【００２０】
而して図１に示した細長板ａを吊下げ保持体１に形成するもので、折れ線ｂから約９０度で折り曲げ、舌片部１３を係止長孔２１に差し込み、アーチ部１１を形成すると共に、イチゴＡの果柄Ｂを吊下げ用透孔１４に挿通し、前記果柄Ｂの抜け止め処理、例えば図示するように樹脂チューブに切込みを入れた留め具Ｃや、その他果柄Ｂを結んだり他の留め具を使用してイチゴＡをアーチ部１１内に吊下げる。そして吊下げ状態のまま包装外箱３に収納し、輸送するものである。
【００２１】
また図４，５は、第二実施形態を示すもので、複数の包装例で、使用される包装部材は、複数の吊下げ保持体１と包装台紙２ａと、包装外箱３ａで構成される。
【００２２】
吊下げ保持体１は、前多第一実施形態器と同様のものである。包装台紙２ａは、複数の矩形孔２２を形成したもので、矩形孔２２の縁部２３が係止受部となるものである。勿論第一実施形態との包装台紙２と同様の係止長孔２１を多数穿設形成しても良い。包装箱３ａは包装台紙２ａが収納される大きさで、アーチ部１１の高さに対応する容積とするものである。
【００２３】
而して、イチゴＡの果柄Ｂを吊下げ用透孔１４に挿通し、前記果柄Ｂの抜け止め処理して、吊下げ保持体１を撓ませてアーチ部１１を形成した状態で、アーチ部１１の外側に向いたている舌片部１３（又は足板部１２）を矩形孔２２の縁部（係止受部）２３下方に差し入れてアーチ状態を維持する。そしてイチゴＡを吊下げた複数の吊下げ保持体１を装着した包装台紙を包装外箱３ａに収納し、輸送するものである。
【００２４】
また図６は、第二実施形態の変形例で、包装外箱３ｂを立てて使用する場合で、包装外箱３ｂに対して包装台紙２ａを斜めに立てて収納するものであり、吊下げ保持体１ａは、吊下げ用透孔１４ａの位置を、アーチ部１１の中間ではなく、包装台紙２ａの包装傾斜角度に対応してずらして設けたものであり、輸送後にそのまま立てた状態での商品展示（イチゴの展示）が可能となる。
【符号の説明】
【００２５】
１，１ａ  吊下げ保持体
１１    アーチ部
１２    足板部
１３    舌片部
１４，１４ａ  吊下げ用透孔
２，２ａ    包装台紙
２１    係止長孔（係止受部）
２２    矩形孔
２３    縁部（係止受部）
３，３ａ，３ｂ  包装外箱
ａ    細長板
ｂ    折れ線
ｃ    切込み線
Ａ    イチゴ
Ｂ    果柄
Ｃ    留め具
【図１】
2016204004.tif 000003
【図２】
2016204004.tif 000004
【図３】
2016204004.tif 000005
【図４】
2016204004.tif 000006
【図５】
2016204004.tif 000007
【図６】
2016204004.tif 000008